(57)【要約】【課題】表示パネルの形状を安定化させるとともに表示品位を良好に保つことができる。【解決手段】液晶表示装置Ｄは、画像を表示可能な液晶パネル１０と、液晶パネル１０の背面側に配されるとともに液晶パネル１０の外周縁部を保持する筐体１６と、液晶パネル１０と筐体１６とによって囲まれた内部空間Ｉの空気圧を、外部空間Ｏの空気圧とは異なる状態に保持する空気圧保持構造とを備えている。このようにすれば、空気圧保持構造によって内部空間Ｉと外部空間Ｏとで空気圧に差が生じた状態に保持することができるから、液晶パネル１０を所定の形状に固定化することができる。【選択図】図４
2009265333.tif 000002
【特許請求の範囲】
【請求項１】
画像を表示可能な表示パネルと、
前記表示パネルの背面側に配されるとともに前記表示パネルの外周縁部を保持する筐体と、
前記表示パネルと前記筐体とによって囲まれた内部空間の空気圧を、外部空間の空気圧とは異なる状態に保持する空気圧保持構造とを備える表示装置。
【請求項２】
前記内部空間の空気圧が前記外部空間の空気圧よりも低く保持されている請求項１記載の表示装置。
【請求項３】
前記内部空間の空気圧が前記外部空間の空気圧よりも高く保持されている請求項１記載の表示装置。
【請求項４】
前記内部空間の空気圧を減圧または加圧可能な空気圧調整手段を備える請求項１ないし請求項３のいずれか１項に記載の表示装置。
【請求項５】
前記筐体内には、前記表示パネルに光を照射可能な光源が収容されるとともに、前記空気圧調整手段は、前記内部空間から前記外部空間へ排気する排気装置を備えており、
前記排気装置は、前記筐体における鉛直方向の上部に配置されている請求項４記載の表示装置。
【請求項６】
前記筐体内には、前記表示パネルに光を照射可能な光源が収容されるとともに、前記空気圧調整手段は、前記外部空間から前記内部空間へ吸気する吸気装置を備えており、
前記吸気装置は、前記筐体における鉛直方向の下部に配置されている請求項４記載の表示装置。
【請求項７】
前記表示パネルは、一対の基板間に液晶を封入してなる液晶パネルとされ、前記筐体内には、前記液晶パネルに光を照射可能な光源が収容されている請求項１ないし請求項６のいずれか１項に記載の表示装置。
【請求項８】
請求項７に記載された表示装置を備えるテレビ受信装置。
【発明の詳細な説明】
【技術分野】
【０００１】
本発明は、表示装置及びテレビ受信装置に関する。
【背景技術】
【０００２】
表示装置の一種である液晶表示装置は、大まかには画像を表示するための液晶パネルの裏側に外部光源であるバックライトを組み付けた構成とされており、その一例として下記特許文献１に記載されたものが知られている。このものでは、液晶パネルの外周縁部が、枠状のベゼルと、バックライトの一部である枠状のフレームとの間で挟まれて保持されている。
【特許文献１】特開２００１−１３３７５９公報
【発明の開示】
【発明が解決しようとする課題】
【０００３】
ところで、上記した構成の液晶表示装置では、液晶パネルの画面中央部は、ベゼル及びフレームによって保持された外周縁部に比べると、剛性が低く、変形が生じ易くなっている。特に大型の液晶表示装置では、画面サイズの大きな液晶パネルが使用されるため、その傾向がより顕著となる。このため、例えば大型の液晶表示装置の使用者が液晶パネルの画面中央部を押すなど、画面中央部に外力が作用した場合には、その画面中央部の形状に変化が生じ易く、液晶パネルの形状が不安定化してしまう、という問題があった。液晶パネルの形状が不安定であると、表示した画像が歪んで見えたりムラが生じ易くなり、表示品位に悪影響が及ぶおそれがあった。
【０００４】
そこで、例えば液晶パネルの画面中央部に補強部品を設置して、画面中央部を機械的に補強することも考えられるが、そうすると補強部品が表示品位に悪影響を与えるおそれがあり、対応に苦慮していた。
【０００５】
本発明は上記のような事情に基づいて完成されたものであって、表示パネルの形状を安定化させるとともに表示品位を良好に保つことを目的とする。
【課題を解決するための手段】
【０００６】
本発明に係る表示装置は、画像を表示可能な表示パネルと、前記表示パネルの背面側に配されるとともに前記表示パネルの外周縁部を保持する筐体と、前記表示パネルと前記筐体とによって囲まれた内部空間の空気圧を、外部空間の空気圧とは異なる状態に保持する空気圧保持構造とを備える。
【０００７】
このようにすれば、空気圧保持構造によって内部空間と外部空間とで空気圧に差が生じた状態に保持することができるから、表示パネルを所定の形状に固定化することができる。これにより、仮に表示パネルの画面中央部に外部から力が作用した場合でも、表示パネルの形状に変化が生じ難くすることができる。また、空気圧を利用して表示パネルの形状を固定化しているので、仮に表示パネルの画面中央部を補強部品によって機械的に固定化したものと比較すると、画面中央部に光学的な障害物が存在しないので、表示品位を良好に保つことができる。
【０００８】
本発明の実施態様として、次の構成が好ましい。
（１）前記内部空間の空気圧が前記外部空間の空気圧よりも低く保持されている構成とする。このようにすれば、表示パネルを外部から見て画面中央部が凹んだ形状に固定化することができる。これにより、使用者の視差を小さくできるので、使用者に表示した画像を見やすく感じさせることができる。
【０００９】
（２）前記内部空間の空気圧が前記外部空間の空気圧よりも高く保持されている構成とする。このようにすれば、仮に外部からの力によって表示パネルが凹むよう変形させられたとしても、内部空間の空気圧によって復元させることができ、表示パネルの形状維持機能が高い。
【００１０】
（３）前記内部空間の空気圧を減圧または加圧可能な空気圧調整手段を備える構成とする。このようにすれば、温度環境の変化などに応じて内部空間の空気圧を適宜に調整することができる。これにより、内部空間の空気圧を所望の大きさ、つまり表示パネルの形状を所望の形状に常に維持することができる。
【００１１】
（４）前記筐体内には、前記表示パネルに光を照射可能な光源が収容されるとともに、前記空気圧調整手段は、前記内部空間から前記外部空間へ排気する排気装置を備えており、前記排気装置は、前記筐体における鉛直方向の上部に配置されている構成とする。このようにすれば、光源を点灯させると、光源が発熱することで筐体内には上昇気流が発生するが、その上昇気流を利用して排気装置によって内部空間から外部空間へ効率的に排気することができる。
【００１２】
（５）前記筐体内には、前記表示パネルに光を照射可能な光源が収容されるとともに、前記空気圧調整手段は、前記外部空間から前記内部空間へ吸気する吸気装置を備えており、前記吸気装置は、前記筐体における鉛直方向の下部に配置されている構成とする。このようにすれば、光源を点灯させると、光源が発熱することで筐体内には上昇気流が発生するが、その上昇気流を利用して吸気装置によって外部空間から内部空間へ効率的に吸気することができる。
【００１３】
また、前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００１４】
本発明によれば、表示パネルの形状を安定化させるとともに表示品位を良好に保つことができる。
【発明を実施するための最良の形態】
【００１５】
＜実施形態１＞
本発明の実施形態１を図１から図４によって説明する。本実施形態では、液晶パネル１０を備える液晶表示装置Ｄについて例示する。なお、以下では、鉛直方向の上下方向については、図２から図４を基準とする。
【００１６】
液晶表示装置Ｄは、全体として横長な矩形状をなし、図２に示すように、画像を表示可能な表示パネルである液晶パネル１０の裏側（背面側）に、液晶パネル１０に向けて光を照射可能な外部光源（照明装置）であるバックライト１１を配置してなる。この液晶表示装置Ｄは、テレビ受信装置ＴＶに適用することができる。テレビ受信装置ＴＶは、図１に示すように、液晶表示装置Ｄと、液晶表示装置Ｄを挟むようにして収容する表裏両キャビネットＣａ，Ｃｂと、電源Ｐと、テレビ放送などを受信するためのチューナーＴと、スタンドＳとを備えて構成される。液晶表示装置Ｄは、全体として横長の方形を成し、縦置き状態（液晶パネル１０の短辺方向を鉛直方向と一致させた状態）で収容されている。
【００１７】
液晶パネル１０は、図２に示すように、横長な矩形状をなす一対の透明な（透光性を有する）ガラス製の基板１２，１３と、両基板１２，１３間に介在し、電界印加に伴って光学特性が変化する物質である液晶分子を含む液晶層（図示せず）と、両基板１２，１３間に介在し、液晶層の周りを取り囲んでこれを封止する略枠状のシール部１４とを備えている。両基板１２，１３は、互いに対向するとともに間に所定のギャップ（間隔）を空けた状態で貼り合わせられる。液晶層中には、両基板１２，１３間のギャップを維持するためのスペーサ（図示せず）が多数個分散して設置されている。
【００１８】
両基板１２，１３は、表側（正面側）がＣＦ基板１２とされ、裏側（背面側）がアレイ基板１３とされる。アレイ基板１３における内面側（液晶層側、ＣＦ基板１２との対向面側）には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。画素電極は、ＩＴＯ（Indium Tin Oxide）或いはＺｎＯ（Zinc Oxide）といった透明電極からなる。
【００１９】
一方、ＣＦ基板１２には、各画素に対応した位置に多数個のカラーフィルタが並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板１３側の画素電極と対向する対向電極が設けられている。また、両基板１２，１３の内面側には、液晶層に含まれる液晶分子を配向させるための配向膜がそれぞれ形成されている。また、両基板１２，１３の外面側には、偏光板がそれぞれ貼り付けられている。
【００２０】
上記した構成の液晶パネル１０は、図２に示すように、その表示領域を取り囲む枠状をなす金属製（例えばアルミ製）のベゼル１５と、バックライト１１を構成する筐体１６との間で挟持される。バックライト１１は、大まかには、全体として表側へ開口する略箱型をなす筐体１６を備え、筐体１６の内部に液晶パネル１０に向けて光を照射可能な線状光源１７（例えば熱陰極管）が複数本収容されるとともに、筐体１６の開口部に線状光源１７からの線状の光を面状で均一な光に変換するなどに機能する光学部材１８が配置されている。筐体１６は、略平板状をなすシャーシ１９と、シャーシ１９の外周縁部に取り付けられる枠状の補強材２０，２１と、補強材２０，２１の外周面に取り付けられる枠状のフレーム２２とから構成されており、その構造を以下に詳しく説明する。
【００２１】
シャーシ１９は、金属製とされ、平面に見て横長な矩形状をなしており、その短辺寸法及び長辺寸法が液晶パネル１０よりも大きく形成されている。シャーシ１９は、液晶パネル１０とほぼ平行に配される。シャーシ１９の外周縁部における表側には、共に枠状をなす第１補強材２０と第２補強材２１とが積み上がる形で取り付けられている。これら補強材２０，２１は、それぞれ金属製で中空の角柱状をなす４本の角材２０ａ，２１ａから構成されており、各角材２０ａ，２１ａの端部同士を接合することで、全体として横長な枠状に形成されている（図３参照）。各角材２０ａ，２１ａ間は、溶接などによって隙間がない状態で固定されている。表側に配される第２補強材２１は、裏側の第１補強材２０よりも内向き（画面中央側）に張り出す形態とされている。また、第１補強材２０をなす各角材２０ａは、シャーシ１９に対して溶接などにより隙間がない状態で固定されている。
【００２２】
これら補強材２０，２１及びシャーシ１９によって囲まれた空間には、線状光源１７が収容されている。線状光源１７は、その軸線をシャーシ１９における長辺方向（水平方向）と一致させた姿勢で複数本、並列配置されている。各線状光源１７は、シャーシ１９に固定された図示しないランプクリップによって保持されている。また、シャーシ１９の表側の面のうち、各補強材２０，２１によって囲まれた部分には、線状光源１７からの光を液晶パネル１０側へ反射させるための反射シート２３が敷設されている。
【００２３】
フレーム２２は、金属製（例えばアルミ製）とされ、全体として液晶パネル１０やシャーシ１９と同様に横長な枠状に形成されている。フレーム２２は、両補強材２０，２１の外周面を覆う外板部２２ａと、外板部２２ａの端部から内向き（画面中央側）に屈曲されて液晶パネル１０やシャーシ１９とほぼ平行をなす内板部２２ｂとから構成され、断面Ｌ字型をなしている。フレーム２２のうち外板部２２ａは、両補強材２０，２１の外周面に沿って延びるとともに、第２補強材２１よりもさらに表側へ突出している。外板部２２ａは、両補強材２０，２１に対して接合されており、外板部２２ａと両補強材２０，２１との間は、溶接などによって隙間がない状態で固定されている。
【００２４】
一方、内板部２２ｂは、第２補強材２１の表側に所定の間隔を空けて配されており、この隙間には、光学部材１８が介設されている。内板部２２ｂは、第２補強材２１よりも内向き（画面中央側）に張り出している。内板部２２ｂと第２補強部２１との間に挟持される光学部材１８は、異なる機能を有するものが複数枚積層されており、例えば裏側から順に拡散板、拡散シート、レンズシート、及び輝度上昇シートとなっている。光学部材１８と内板部２２ｂとの間には、両者に密着する第１緩衝材２４が介設されている。また、光学部材１８よりも外側位置においては、内板部２２ｂと第２補強材２１との間に両者に密着するスペーサ材２５が介設されている。
【００２５】
この内板部２２ｂの表側には、所定の間隔を空けてベゼル１５が配されており、これらベゼル１５と内板部２２ｂとの間に液晶パネル１０の外周縁部を挟持されている。液晶パネル１０と内板部２２ｂとの間には、両者に密着する第２緩衝材２６が介設されている。この第２緩衝材２６は、内板部２２ｂの全周にわたる枠状に形成されている。第２緩衝材２６は、密着性に優れた材料（例えばゴム）からなり、これにより液晶パネル１０と内板部２２ｂとの間がほぼ気密に保たれる。また、液晶パネル１０と光学部材１８との間には、第１緩衝材２４、内板部２２ｂ、及び第２緩衝材２６が介在する分だけクリアランスが確保されており、ここが後述する液晶パネル１０の変形を許容する許容空間となっている。
【００２６】
ところで、この液晶表示装置Ｄには、液晶パネル１０の駆動を制御するための駆動回路が搭載されており、以下にその詳細を説明する。アレイ基板１３の外周縁部には、各配線の端子部が形成され、そこにはＬＳＩチップが搭載されたドライバ２７の一端側がＡＣＦ（Anisotropic Conductive Film：異方性導電接着剤）を介して接続されている。ドライバ２７の他端側には、ＡＣＦを介して第１制御基板２８が接続されており、その第１制御基板２８からは第１ＦＰＣ２９が引き出され、さらにその引き出し端が筐体１６の鉛直方向の上面及び下面に装着された第２制御基板３０に接続されている。第２制御基板３０からは第２ＦＰＣ３１が引き出され、その引き出し端が筐体１６の背面に装着された第３制御基板３２に接続されている。以上のような構成の駆動回路によれば、第３制御基板３２から出力された信号に基づいて液晶パネル１０を駆動することができる。
【００２７】
さて、この液晶表示装置Ｄは、液晶パネル１０と筐体１６とによって囲まれてなる内部空間Ｉの空気圧を保持するための空気圧保持構造を有するとともに、その空気圧を調整するための空気圧調整手段を有している。
【００２８】
空気圧保持構造は、具体的には、両補強材２０，２１、フレーム２２及びシャーシ１９が互いに隙間なく接合されるとともに、液晶パネル１０と筐体１６（内板部２２ｂ）との間が第２緩衝材２６によって封止されることによって構成されている。これにより、内部空間Ｉの空気が外部空間Ｏへ漏れ出したり、外部空間Ｏの空気が内部空間Ｉに流入するのが規制され、もって内部空間Ｉの空気圧を一定に保持可能とされる。
【００２９】
一方、空気圧調整手段は、図３に示すように、筐体１６の外部に設置されており、排気装置３３（減圧装置）と、排気装置３３への空気の流通を制御するためのバルブ３４と、内部空間Ｉに配されてその空気圧を検出する圧力センサ（図示せず）とから構成される。筐体１６の第１補強材２０のうち鉛直方向の上側に配された角材２０ａには、外部へ開口する通気孔２０ｂが設けられており、この通気孔２０ｂに対してバルブ３４及び排気装置３３が流路管によって順次に接続されている。
【００３０】
排気装置３３及びバルブ３４は、それぞれ筐体１６における鉛直方向上側に一対ずつ設置されている。排気装置３３は、ファンを備えており、バルブ３４を開状態としつつファンを回転させることで、内部空間Ｉの空気を外部空間Ｏへと排出（排気）できるようになっている。つまり、バルブ３４を開いて排気装置３３を作動させることで、内部空間Ｉの空気圧を減圧できるようになっている。排気装置３３、バルブ３４、及び圧力センサは、それぞれ図示しない制御回路に電気的に接続されており、圧力センサによって検出された内部空間Ｉの空気圧に応じて排気装置３３及びバルブ３４の駆動が制御されている。具体的には、内部空間Ｉの空気圧が大気圧よりも低い所定の設定値に至るまでは、バルブ３４が開状態となって排気装置３３が駆動されて減圧が行われるが、空気圧が設定値に達したところで、排気装置３３が停止されるとともにバルブ３４が閉状態となって内部空間Ｉの空気圧が上記設定値に保たれる。一方、温度環境の変化などにより内部空間Ｉの空気圧が設定値からさらに下降した場合には、排気装置３３を停止させたままバルブ３４を開状態とすることで、空気圧を設定値まで上昇させることができる。これにより、内部空間Ｉの空気圧を外部空間Ｏの空気圧、つまり大気圧よりも低い所定の設定値に維持することができる。
【００３１】
このように内部空間Ｉの空気圧を外部空間Ｏの空気圧である大気圧よりも低い状態、つまり負圧にまで減圧すると、筐体１６の構成部品と比べて剛性が低い液晶パネル１０は、図４に示すように、外部から見て画面中央部が凹んだ形状に変形した状態となる。そして、内部空間Ｉの空気圧を一定に維持することによって、液晶パネル１０を上記した形状に固定化することが可能となっている。なお、内部空間Ｉの空気圧の設定値は、変形した液晶パネル１０が光学部材１８に接触しないような値とすることが好ましく、さらには変形した液晶パネル１０に表示された画像に違和感を生じさせないような値とすることがより好ましい。このような設定とすることで、表示品位を高く保つことができる。
【００３２】
本実施形態は以上のような構造であり、続いてその作用を説明する。液晶表示装置Ｄは、図２に示すように、液晶パネル１０が鉛直方向に沿って立った姿勢になるよう設置した状態で使用される。なお、液晶表示装置ＤがＯＦＦの状態では、内部空間Ｉの空気圧は、外部空間Ｏと同じ大気圧となっている。
【００３３】
液晶表示装置Ｄの電源をＯＮにすると、線状光源１７が点灯されるとともに、駆動回路によって液晶パネル１０に信号などが供給されることで、その表示領域に画像が表示される。それとともに、空気圧調整手段を構成する圧力センサによって内部空間Ｉの空気圧を検出する。このとき、検出した空気圧が設定値以上であれば、バルブ３４を開状態とし、排気装置３３を駆動させ、内部空間Ｉの空気を外部空間Ｏへと排出する。これにより、内部空間Ｉの空気圧は、外部空間Ｏの空気圧である大気圧よりも低い負圧へと減圧されて行くとともに、それに伴って液晶パネル１０は、フレーム２２などで機械的に保持された外周縁部に対して、そのような機械的保持がなされていない画面中央部が相対的に光学部材１８側に引っ込むよう略弓形に（弧を描くように）変形していき、次第にその曲率が小さくなっていく（図４）。
【００３４】
ところで、液晶表示装置Ｄの設置場所における温度環境が常温（５度℃〜３５℃）程度であれば、線状光源１７が点灯するのに伴ってその発熱によって内部空間Ｉの温度が上昇し、それに伴って内部空間Ｉには上昇気流が発生する。本実施形態においては、図３に示すように、排気装置３３及びバルブ３４が筐体１６の鉛直方向上側に配置されているので、内部空間Ｉにおいて上昇する空気をファンによって効率的に引き込むことができる。つまり、線状光源１７の点灯に伴って内部空間Ｉに発生した上昇気流を利用して効率的に（短時間で）排気を行うことができる。
【００３５】
そして、内部空間Ｉの空気圧が設定値に達したら、バルブ３４を閉状態とするとともに排気装置３３を停止させる。この状態では、内部空間Ｉは、空気圧保持構造によって気密に保たれているから、その空気圧が設定値に維持される。これにより、図４に示すように、外部から見て画面中央部が凹んだ形状となった液晶パネル１０が固定化され、その形状に変化が殆ど生じなくなる。従って、仮に外部から液晶表示装置Ｄの使用者が液晶パネル１０の画面中央部を押すなどしたとしても、液晶パネル１０の形状には固定化された状態から変化（変動）が生じ難くなっている。これにより、液晶パネル１０の形状が変化することに伴う表示画像の歪みやムラが生じるのが避けられ、高い表示品位を得ることができる。また、使用者が液晶パネル１０の画面中央部を押したときにその形状に変化が生じないので、使用者には液晶パネル１０が「硬い」と感じさせることができる。仮に使用者が液晶パネル１０を押したときにその形状に変化が生じて「軟らかい」と感じた場合には、使用者が不安感を覚える可能性がある。それと比べて本実施形態によれば使用者に安心感を与えることが可能となる。
【００３６】
上記したように、液晶パネル１０は、外部から見て画面中央部が凹んだ形状に維持されている。従って、使用者からは画像の表示位置が通常（液晶パネル１０が真っ直ぐな状態）よりも奥まった位置となっている。これにより、使用者の視差を小さくすることができるので、表示した画像を見やすく感じさせることができる。
【００３７】
ところで、内部空間Ｉの温度環境は、上記した線状光源１７の点灯などの影響により刻々と変化し得るものであり、それに伴って内部空間Ｉの空気圧も変化し得る状況となっている。ところが、本実施形態では、圧力センサによって内部空間Ｉの空気圧を随時検出し、その検出した空気圧が設定値から変動した場合には、排気装置３３やバルブ３４を適宜に制御することで、空気圧を設定値に戻すようにしている。具体的には、内部空間Ｉの温度が上昇するとそれに伴って内部空間Ｉの空気圧も上昇するので、その場合にはバルブ３４を開状態としつつ排気装置３３を作動させることで、空気圧を減圧して設定値へと戻す。一方、内部空間Ｉの温度が下降するとそれに伴って内部空間Ｉの空気圧も下降するので、その場合には排気装置３３を停止させたままバルブ３４を開状態とすることで、外部空間Ｏから内部空間Ｉへ空気を流入させ、内部空間Ｉの空気圧を加圧して設定値へと戻す。以上により、温度環境などの変化に拘わらず、内部空間Ｉの空気圧を一定に保つことができ、もって液晶パネル１０の形状を常時安定的に維持することができるようになっている。
【００３８】
以上説明したように本実施形態の液晶表示装置Ｄは、画像を表示可能な液晶パネル１０と、液晶パネル１０の背面側に配されるとともに液晶パネル１０の外周縁部を保持する筐体１６と、液晶パネル１０と筐体１６とによって囲まれた内部空間Ｉの空気圧を、外部空間Ｏの空気圧とは異なる状態に保持する空気圧保持構造とを備えている。
【００３９】
このようにすれば、空気圧保持構造によって内部空間Ｉと外部空間Ｏとで空気圧に差が生じた状態に保持することができるから、液晶パネル１０を所定の形状に固定化することができる。これにより、仮に液晶パネル１０の画面中央部に外部から力が作用した場合でも、液晶パネル１０の形状に変化が生じ難くすることができる。なお、大型の液晶表示装置Ｄほど液晶パネル１０が変形し易い傾向にあることから、液晶表示装置Ｄの大型化にも好適となる。また、空気圧を利用して液晶パネル１０の形状を固定化しているので、仮に液晶パネル１０の画面中央部を補強部品によって機械的に固定化したものと比較すると、画面中央部に光学的な障害物が存在しないので、表示品位を良好に保つことができる。以上により、液晶パネル１０の形状を安定化させるとともに表示品位を良好に保つことができる。
【００４０】
また、内部空間Ｉの空気圧が外部空間Ｏの空気圧よりも低く保持されている。このようにすれば、液晶パネル１０を外部から見て画面中央部が凹んだ形状に固定化することができる。これにより、使用者の視差を小さくできるので、使用者に表示した画像を見やすく感じさせることができる。
【００４１】
また、内部空間Ｉの空気圧を減圧可能な空気圧調整手段を備える。このようにすれば、温度環境の変化などに応じて内部空間Ｉの空気圧を適宜に調整することができる。これにより、内部空間Ｉの空気圧を所望の大きさ、つまり液晶パネル１０の形状を所望の形状に常に維持することができる。
【００４２】
また、筐体１６内には、液晶パネル１０に光を照射可能な線状光源１７が収容されるとともに、空気圧調整手段は、内部空間Ｉから外部空間Ｏへ排気する排気装置３３を備えており、排気装置３３は、筐体１６における鉛直方向の上部に配置されている。このようにすれば、線状光源１７を点灯させると、線状光源１７が発熱することで筐体１６内には上昇気流が発生するが、その上昇気流を利用して排気装置３３によって内部空間Ｉから外部空間Ｏへ効率的に排気することができる。
【００４３】
＜実施形態２＞
本発明の実施形態２を図５または図６によって説明する。この実施形態２では、空気圧調整手段として吸気装置３５を用い、内部空間Ｉの空気圧を加圧するようにしたものを示す。なお、この実施形態２では、上記した実施形態１から変更した部位には、同一の符号を用いるとともにその末尾に添え字Ａを付すものとし、構造、作用及び効果について重複する説明は省略する。
【００４４】
空気圧調整手段は、図５に示すように、外部空間Ｏの空気を内部空間Ｉに取り込むことが可能な吸気装置３５と、吸気装置３５への空気の流通を制御するためのバルブ３４Ａと、内部空間Ｉに配されてその空気圧を検出する圧力センサ（図示せず）とから構成される。筐体１６の第１補強材２０のうち鉛直方向の下側に配された角材２０ａには、外部へ開口する通気孔２０ｂＡが設けられており、この通気孔２０ｂＡに対してバルブ３４Ａ及び排気装置３５が流路管によって順次に接続されている。
【００４５】
吸気装置３５及びバルブ３４Ａは、それぞれ筐体１６における鉛直方向下側に一対ずつ設置されている。排気装置３５は、ファンを備えており、バルブ３４Ａを開状態としつつファンを回転させることで、外部空間Ｏの空気を内部空間Ｉへと導入（吸気）できるようになっている。つまり、バルブ３４Ａを開いて吸気装置３５を作動させることで、内部空間Ｉの空気圧を加圧できるようになっている。吸気装置３５、バルブ３４Ａ、及び圧力センサは、それぞれ図示しない制御回路に電気的に接続されており、圧力センサによって検出された内部空間Ｉの空気圧に応じて吸気装置３５及びバルブ３４Ａの駆動が制御されている。具体的には、内部空間Ｉの空気圧が大気圧よりも高い所定の設定値に至るまでは、バルブ３４Ａが開状態となって吸気装置３５が駆動されて加圧が行われるが、空気圧が設定値に達したところで、吸気装置３５が停止されるとともにバルブ３４Ａが閉状態となって内部空間Ｉの空気圧が上記設定値に保たれる。一方、温度環境の変化などにより内部空間Ｉの空気圧が設定値からさらに上昇した場合には、吸気装置３５を停止させたままバルブ３４Ａを開状態とすることで、空気圧を設定値まで下降させることができる。これにより、内部空間Ｉの空気圧を外部空間Ｏの空気圧、つまり大気圧よりも高い所定の設定値に維持することができる。
【００４６】
続いて、本実施形態の作用について説明する。液晶表示装置Ｄの電源をＯＮにすると、液晶パネル１０に画像が表示されるとともに、空気圧調整手段を構成する圧力センサによって内部空間Ｉの空気圧が検出される。このとき、検出した空気圧が設定値以下であれば、バルブ３４Ａを開状態とし、吸気装置３５を駆動させ、外部空間Ｏの空気を内部空間Ｉへと導入する。これにより、内部空間Ｉの空気圧は、外部空間Ｏの空気圧である大気圧よりも高い正圧へと加圧されて行くとともに、それに伴って液晶パネル１０は、機械的保持がなされていない画面中央部が相対的に光学部材１８から離れるよう略弓形に（弧を描くように）変形していき、次第にその曲率が小さくなっていく（図６）。
【００４７】
ところで、液晶表示装置Ｄの設置場所における温度環境が常温程度であれば、点灯した線状光源１７からの発熱によって内部空間Ｉの温度が上昇し、それに伴って内部空間Ｉには上昇気流が発生する。本実施形態においては、図５に示すように、吸気装置３５及びバルブ３４Ａが筐体１６の鉛直方向下側に配置されているので、外部空間Ｏの空気をファンによって内部空間Ｉへと効率的に引き込むことができる。つまり、線状光源１７の点灯に伴って内部空間Ｉに発生した上昇気流を利用して効率的に（短時間で）吸気を行うことができる。
【００４８】
内部空間Ｉの空気圧が設定値に達したら、バルブ３４Ａを閉状態とするとともに吸気装置３５を停止させる。この状態では、内部空間Ｉは、空気圧保持構造によって気密に保たれているから、その空気圧が設定値に維持される。これにより、図６に示すように、外部から見て画面中央部が突出した形状となった液晶パネル１０が固定化され、その形状に変化が殆ど生じなくなる。従って、仮に外部から液晶表示装置Ｄの使用者が液晶パネル１０の画面中央部を押すなどしたとしても、液晶パネル１０の形状には固定化された状態から変化（変動）が生じ難くなっている。このとき、使用者が相当に大きな力で液晶パネル１０を押した場合には、画面中央部が凹むよう変形する可能性があるものの、仮にそうなった場合でも正圧とされた内部空間Ｉの空気圧によってすぐに液晶パネル１０の形状を復元させることができる。これにより、液晶パネル１０の表示品位を高く維持することができる。なお、内部空間Ｉの空気圧の設定値は、変形した液晶パネル１０に表示された画像に違和感を生じさせないような値とすることが好ましい。このような設定とすることで、表示品位を高く保つことができる。
【００４９】
ところで、内部空間Ｉの温度環境は、上記した線状光源１７の点灯などの影響により刻々と変化し得るものであり、それに伴って内部空間Ｉの空気圧も変化し得る状況となっている。ところが、本実施形態では、圧力センサによって内部空間Ｉの空気圧を随時検出し、その検出した空気圧が設定値から変動した場合には、吸気装置３５やバルブ３４Ａを適宜に制御することで、空気圧を設定値に戻すようにしている。具体的には、内部空間Ｉの温度が上昇するとそれに伴って内部空間Ｉの空気圧も上昇するので、その場合には吸気装置３５を停止させたままバルブ３４Ａを開状態とすることで、内部空間Ｉから外部空間Ｏへ空気を流出させ、内部空間Ｉの空気圧を減圧して設定値へと戻す。一方、内部空間Ｉの温度が下降するとそれに伴って内部空間Ｉの空気圧も下降するので、その場合にはバルブ３４Ａを開状態としつつ吸気装置３５を作動させることで、空気圧を加圧して設定値へと戻す。以上により、温度環境などの変化に拘わらず、内部空間Ｉの空気圧を一定に保つことができ、もって液晶パネル１０の形状を常時安定的に維持することができるようになっている。
【００５０】
以上説明したように本実施形態によれば、内部空間Ｉの空気圧が外部空間Ｏの空気圧よりも高く保持されている。このようにすれば、仮に外部からの力によって液晶パネル１０が凹むよう変形させられたとしても、内部空間Ｉの空気圧によって復元させることができ、液晶パネル１０の形状維持機能が高い。
【００５１】
また、筐体１６内には、液晶パネル１０に光を照射可能な線状光源１７が収容されるとともに、空気圧調整手段は、外部空間Ｏから内部空間Ｉへ吸気する吸気装置３５を備えており、吸気装置３５は、筐体１６における鉛直方向の下部に配置されている。このようにすれば、線状光源１７を点灯させると、線状光源１７が発熱することで筐体１６内には上昇気流が発生するが、その上昇気流を利用して吸気装置３５によって外部空間Ｏから内部空間Ｉへ効率的に吸気することができる。
【００５２】
＜他の実施形態＞
本発明は上記記述及び図面によって説明した実施形態に限定されるものではなく、例えば次のような実施形態も本発明の技術的範囲に含まれる。
【００５３】
（１）上記した実施形態１では、空気圧調整手段として排気装置を、実施形態２では、空気圧調整手段として吸気装置をそれぞれ用いたものを示したが、例えば空気圧調整手段として排気装置及び吸気装置を併設するようにしたものも本発明に含まれる。このようにすれば、内部空間の空気圧を正圧または負圧のいずれかに選択的に維持することが可能となる。
【００５４】
（２）上記した実施形態１では、排気装置を筐体の鉛直方向上部に、実施形態２では、吸気装置を筐体の鉛直方向下部にそれぞれ配置したものを示したが、これらの配設位置については、例えば筐体の側面や背面など適宜に変更可能である。
【００５５】
（３）上記した各実施形態では、空気圧調整手段としてバルブを備えたものを示したが、バルブを省略することも可能である。その場合は、排気装置や吸気装置を常時適宜に駆動させることで、空気圧を一定に維持することができる。
【００５６】
（４）上記した各実施形態では、空気圧調整手段を備えたものを示したが、空気圧調整手段を省略することも可能である。その場合は、液晶表示装置を製造する際に内部空間を負圧または正圧にした状態で密閉し、その状態を空気圧保持構造によって維持すればよい。
【００５７】
（５）上記した各実施形態では、外部空間の空気圧が大気圧とした場合を示したが、外部空間が大気圧以外の空気圧である環境で使用する場合にも、本発明は勿論適用可能である。その場合、内部空間の空気圧が大気圧と等しくなることもあり得る。
【００５８】
（６）上記した各実施形態では、筐体が中空の角材からなる補強材を備えたものを示したが、他の補強構造を持つものや、補強構造自体を持たないものにも本発明は適用可能である。
【００５９】
（７）上記した実施形態では、スイッチング素子としてＴＦＴを用いたものを例示したが、ＴＦＴ以外の種類のスイッチング素子を用いたものも本発明に含まれる。
【００６０】
（８）上記した実施形態では、バックライトの光源として熱陰極管を例示したが、熱陰極管以外の線状光源（冷陰極管や蛍光管など）を用いたものや、ＬＥＤなどの点状光源を用いたものも本発明に含まれる。
【００６１】
（９）上記した各実施形態では、表示パネルとして液晶パネルを用いたものを示したが、液晶パネル以外の表示パネルを用いた表示装置にも本発明は適用可能である。
【００６２】
（１０）上記した実施形態では、チューナーを備えたテレビ受信装置を例示したが、チューナーを備えない表示装置にも本発明は適用可能である。
【図面の簡単な説明】
【００６３】
【図１】本発明の実施形態１に係るテレビ受信装置の概略を表す分解斜視図
【図２】液晶表示装置の断面図
【図３】図２のＸ−Ｘ線断面図
【図４】内部空間の空気圧を負圧とし、液晶パネルを変形形状に保持した状態を示す断面図
【図５】本発明の実施形態２に係る液晶表示装置の正断面図
【図６】内部空間の空気圧を正圧とし、液晶パネルを変形形状に保持した状態を示す断面図
【符号の説明】
【００６４】
１０…液晶パネル（表示パネル）
１６…筐体
１７…線状光源（光源）
２６…第２緩衝材（空気圧保持構造）
３３…排気装置（空気圧調整手段）
３４，３４Ａ…バルブ（空気圧調整手段）
３５…吸気装置（空気圧調整手段）
Ｄ…液晶表示装置（表示装置）
Ｉ…内部空間
Ｏ…外部空間
【図１】
2009265333.tif 000003
【図２】
2009265333.tif 000004
【図３】
2009265333.tif 000005
【図４】
2009265333.tif 000006
【図５】
2009265333.tif 000007
【図６】
2009265333.tif 000008